【手続補正書】
【提出日】平成16年5月24日(2004.5.24)
【手続補正１】
【補正対象書類名】明細書
【補正対象項目名】発明の名称
【補正方法】変更
【補正の内容】
【発明の名称】受信装置及び受信方法
【手続補正２】
【補正対象書類名】明細書
【補正対象項目名】特許請求の範囲
【補正方法】変更
【補正の内容】
【特許請求の範囲】
【請求項１】
ディジタルインターフェースで受信されたパケットのエラーをカウントするカウント手段と、
所定の期間内における前記カウント手段のカウント値に対応した表示を行う表示手段とを有することを特徴とする受信装置。
【請求項２】
ディジタルインターフェースで受信されたパケットのエラーをカウントするカウント手段と、
所定の期間内における前記カウント手段のカウント値に基づき、前記ディジタルインターフェースで受信されたパケットから得られたディジタルデータの記録の停止又は中止を行う記録制御手段とを有することを特徴とする受信装置。
【請求項３】
ディジタルインターフェースで受信されたパケットのエラーをカウントするカウント手段と、
前記ディジタルインターフェースで受信されたパケットから得られたディジタルデータをビデオ信号にデコードするデコード手段と、
前記ビデオ信号を表示する表示手段とを有し、
所定の期間内における前記カウント手段のカウント値に基づき、前記表示手段にエラーの状態を表示することを特徴とする受信装置。
【請求項４】
前記ディジタルインターフェースは、ＩＥＥＥ１３９４に準拠したディジタルインターフェースであることを特徴とする請求項１〜３のいずれか１項に記載の受信装置。
【請求項５】
ディジタルインターフェースで受信されたパケットのエラーをカウントするカウント工程と、
所定の期間内における前記カウント手段のカウント値に対応した表示を行う表示工程とを有することを特徴とする受信方法。
【請求項６】
ディジタルインターフェースで受信されたパケットのエラーをカウントするカウント工程と、
所定の期間内における前記カウント手段のカウント値に基づき、前記ディジタルインターフェースで受信されたパケットから得られたディジタルデータの記録の停止又は中止を行う記録制御工程とを有することを特徴とする受信方法。
【請求項７】
ディジタルインターフェースで受信されたパケットのエラーをカウントするカウント工程と、
前記ディジタルインターフェースで受信されたパケットから得られたディジタルデータをビデオ信号にデコードするデコード工程と、
前記ビデオ信号を表示する第１の表示工程と、
所定の期間内における前記カウント手段のカウント値に基づき、前記表示手段にエラーの状態を表示する第２の表示工程とを有することを特徴とする受信方法。
【請求項８】
前記ディジタルインターフェースは、ＩＥＥＥ１３９４に準拠したディジタルインターフェースであることを特徴とする請求項５〜７のいずれか１項に記載の受信方法。
【手続補正３】
【補正対象書類名】明細書
【補正対象項目名】０００１
【補正方法】変更
【補正の内容】
【０００１】
【発明の属する技術分野】
本発明は、受信装置及び受信方法に関する。
【手続補正４】
【補正対象書類名】明細書
【補正対象項目名】０００９
【補正方法】変更
【補正の内容】
【０００９】
このようにパケット化されたデータは、図４のＩＥＥＥ１３９４ケーブル２０４を用いて、受信側にシリアル転送される。ディジタルインターフェース部（以下、ＤＩＦ２と記す）２０６は、上記ｉｓｏｃｈｒｏｎｏｕｓデータを受信し、所定の処理を施した後、図６のデータフィールドから上記ビデオデータ等を抜き出し、受信側のディジタルＶＴＲ（以下、ＤＶＣＲ２と記す）２０８に出力すると共に、データフィールド内のエラーの有無を示すエラー信号を出力する。ＤＶＣＲ２（２０８）では、受信データに対してエラー訂正符号を付加し磁気記録媒体へ記録する。尚、上記エラー信号はパケット内に付加されているエラー検出コードによってエラー検出を行って、上記エラー信号を発生している。
【手続補正５】
【補正対象書類名】明細書
【補正対象項目名】００１５
【補正方法】変更
【補正の内容】
【００１５】
【課題を解決するための手段】
本発明に係る受信装置は、ディジタルインターフェースで受信されたパケットのエラーをカウントするカウント手段と、所定の期間内における前記カウント手段のカウント値に対応した表示を行う表示手段とを有することを特徴とする。
また、本発明に係る受信装置は、ディジタルインターフェースで受信されたパケットのエラーをカウントするカウント手段と、所定の期間内における前記カウント手段のカウント値に基づき、前記ディジタルインターフェースで受信されたパケットから得られたディジタルデータの記録の停止又は中止を行う記録制御手段とを有することを特徴とする。
また、本発明に係る受信装置は、ディジタルインターフェースで受信されたパケットのエラーをカウントするカウント手段と、前記ディジタルインターフェースで受信されたパケットから得られたディジタルデータをビデオ信号にデコードするデコード手段と、前記ビデオ信号を表示する表示手段とを有し、所定の期間内における前記カウント手段のカウント値に基づき、前記表示手段にエラーの状態を表示することを特徴とする。
【手続補正６】
【補正対象書類名】明細書
【補正対象項目名】００１６
【補正方法】変更
【補正の内容】
【００１６】
本発明に係る受信方法は、ディジタルインターフェースで受信されたパケットのエラーをカウントするカウント工程と、所定の期間内における前記カウント手段のカウント値に対応した表示を行う表示工程とを有することを特徴とする。
また、本発明に係る受信方法は、ディジタルインターフェースで受信されたパケットのエラーをカウントするカウント工程と、所定の期間内における前記カウント手段のカウント値に基づき、前記ディジタルインターフェースで受信されたパケットから得られたディジタルデータの記録の停止又は中止を行う記録制御工程とを有することを特徴とする。
また、本発明に係る受信方法は、ディジタルインターフェースで受信されたパケットのエラーをカウントするカウント工程と、前記ディジタルインターフェースで受信されたパケットから得られたディジタルデータをビデオ信号にデコードするデコード工程と、前記ビデオ信号を表示する第１の表示工程と、所定の期間内における前記カウント手段のカウント値に基づき、前記表示手段にエラーの状態を表示する第２の表示工程とを有することを特徴とする。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２３
【補正方法】変更
【補正の内容】
【００２３】
ＤＩＦ２（１０４）は、ディジタルデータＤとパケット内のデータエラーを示すエラーシグナルｅｒｒとを分離して出力する。ＤＩＦ２（１０４）の出力であるディジタルデータＤ、エラーシグナルｅｒｒは、ＤＶＣＲ２（１０５）に入力される。ＤＶＣＲ２（１０５）内で、上記ディジタルデータＤは、データデコード部１０６に入力されビデオ信号にデコードされて出力されたり、あるいはＤＶＣＲ２（１０５）により磁気テープに記録されることになる。また、ＤＩＦ２（１０４）の出力するエラーシグナルｅｒｒは、ＤＶＣＲ２（１０５）内のエラーカウンタ（１０７）により１フレーム、１フィールド等の基準単位時間内のエラーパケット量をカウントし、そのカウント値はエラー表示装置１０８により表示される。尚、エラー表示装置１０８には、カウント値そのものを表示する必要はなく、そのカウント値に対応させた表示を行えばよい。
【手続補正１２】
【補正対象書類名】明細書
【補正対象項目名】００３０
【補正方法】変更
【補正の内容】
【００３０】
【発明の効果】
請求項１、４、５及び８に係る発明によれば、エラーの状態を把握することができ、その状態に応じた処置をとることができる。
また、請求項２、４、６及び８に係る発明によれば、エラーの状態に応じてディジタルデータの記録の停止又は中止を行うことができる。
また、請求項３、４、７及び８に係る発明によれば、エラーの状態を画像と共に把握することができ、その状態に応じた処置をとることができる。
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】